(57)【特許請求の範囲】
【請求項１】
歯周ポケットに挿入される部分に光の放射を行う光照射部を備えた先端子と、
歯周ポケットに挿入された状態において前記光照射部からの光を測定する光測定手段と、
前記光測定手段によって測定される光の強度又は光の吸収状態と、歯周ポケットの状態との関係についてあらかじめ測定しておいたものを記憶しておく記憶手段とを備え、
前記光測定手段によって測定された光の強度又は光の吸収状態から、
前記記憶手段に基いて、歯周ポケットの状態を特定する制御装置とを具備する光診査装置。
【請求項２】
請求項１に記載の光診査装置において、
前記光照射部は、歯周ポケットに挿入される前記先端子の先端から、歯周ポケットの外部に亘って長手方向に伸びて設けられ、
前記光測定手段は、歯周ポケットから外部に露出する前記光照射部から照射された光の強度を測定可能に設けられ、
前記制御装置は、歯周ポケットから外部に露出する前記光照射部から照射された光の強度と、歯周ポケットの深さとを関連させたデータを記憶し、
前記光測定手段によって測定された光の強度と、記憶する前記データとに基づいて前記先端子が挿入された歯周ポケットの深さを数値化することを特徴とする光診査装置。
【請求項３】
請求項１に記載の光診査装置において、
前記光照射部は、歯周ポケットに挿入される前記先端子の先端から、歯周ポケットの外部に亘って長手方向に伸びて設けられ、
前記光測定手段は、前記光照射部から歯周ポケットに吸収された光の強度を測定可能に設けられ、
前記制御装置は、歯周ポケットに吸収される光の強度と、歯周ポケットの深さとを関連させたデータを記憶し、
前記光測定手段によって測定された光の強度と、記憶する前記データとに基づいて前記先端子が挿入された歯周ポケットの深さを数値化することを特徴とする光診査装置。
【請求項４】
請求項１〜請求項３のいずれかに記載の光診査装置において、
前記光照射部は、歯周ポケットに、一つ以上の特定の波長または、ブロードな波長の光を照射可能に設けられ、
前記光測定手段は、前記歯周ポケットに吸収された波長を測定可能に設けられ、
前記制御装置は、歯周ポケットに吸収される光の波長と、歯周ポケット内の性状とを関連させたデータを記憶し、  前記光測定手段によって測定された光の波長と、記憶する前記データとに基づいて前記先端子が挿入された歯周ポケットの性状を特定することを特徴とする光診査装置。
【発明の詳細な説明】
【０００１】
【発明の属する技術分野】
本発明は、歯牙などをはじめとする生体組織を診査する装置であることを特徴とする。
【０００２】
【従来の技術】
手動の診査器具がある。
【０００３】
【発明が解決しようとする課題】
従来の診査器具は、組識を傷つけやすいという不具合や自動的診査に困難性があった。
【０００４】
〔請求項１の手段〕
請求項１の光診査装置は、
歯周ポケットに挿入される部分に光の放射を行う光照射部を備えた先端子と、
歯周ポケットに挿入された状態において前記光照射部からの光を測定する光測定手段と、
前記光測定手段によって測定される光の強度又は光の吸収状態と、歯周ポケットの状態との関係についてあらかじめ測定しておいたものを記憶しておく記憶手段とを備え、
前記光測定手段によって測定された光の強度又は光の吸収状態から、
前記記憶手段に基いて、歯周ポケットの状態を特定する制御装置とを具備する。
〔請求項２の手段〕
請求項２のの光診査装置は、
前記光照射部は、歯周ポケットに挿入される前記先端子の先端から、歯周ポケットの外部に亘って長手方向に伸びて設けられ、
前記光測定手段は、歯周ポケットから外部に露出する前記光照射部から照射された光の強度を測定可能に設けられ、
前記制御装置は、歯周ポケットから外部に露出する前記光照射部から照射された光の強度と、歯周ポケットの深さとを関連させたデータを記憶し、
前記光測定手段によって測定された光の強度と、記憶する前記データとに基づいて前記先端子が挿入された歯周ポケットの深さを数値化することを特徴とする。
〔請求項３の手段〕
請求項３のの光診査装置は、
前記光照射部は、歯周ポケットに挿入される前記先端子の先端から、歯周ポケットの外部に亘って長手方向に伸びて設けられ、
前記光測定手段は、前記光照射部から歯周ポケットに吸収された光の強度を測定可能に設けられ、
前記制御装置は、歯周ポケットに吸収される光の強度と、歯周ポケットの深さとを関連させたデータを記憶し、
前記光測定手段によって測定された光の強度と、記憶する前記データとに基づいて前記先端子が挿入された歯周ポケットの深さを数値化することを特徴とする。
〔請求項４の手段〕
請求項４のの光診査装置は、
前記光照射部は、歯周ポケットに、一つ以上の特定の波長または、ブロードな波長の光を照射可能に設けられ、
前記光測定手段は、前記歯周ポケットに吸収された波長を測定可能に設けられ、
前記制御装置は、歯周ポケットに吸収される光の波長と、歯周ポケット内の性状とを関連させたデータを記憶し、  前記光測定手段によって測定された光の波長と、記憶する前記データとに基づいて前記先端子が挿入された歯周ポケットの性状を特定することを特徴とする。

【０００５】
〔請求項１の作用および効果〕
請求項１の光診査装置は、
歯周ポケットに挿入される部分に光の放射を行う光照射部を備えた先端子と、
歯周ポケットに挿入された状態において前記光照射部からの光を測定する光測定手段と、
前記光測定手段によって測定される光の強度又は光の吸収状態と、歯周ポケットの状態との関係についてあらかじめ測定しておいたものを記憶しておく記憶手段とを備え、
前記光測定手段によって測定された光の強度又は光の吸収状態から、
前記記憶手段に基いて、歯周ポケットの状態を特定する制御装置とを具備するので、
歯周ポケットの状態を特定できる。
〔請求項２の作用および効果〕
請求項２の光診査装置は、
前記光照射部は、歯周ポケットに挿入される前記先端子の先端から、歯周ポケットの外部に亘って長手方向に伸びて設けられ、
前記光測定手段は、歯周ポケットから外部に露出する前記光照射部から照射された光の強度を測定可能に設けられ、
前記制御装置は、歯周ポケットから外部に露出する前記光照射部から照射された光の強度と、歯周ポケットの深さとを関連させたデータを記憶し、
前記光測定手段によって測定された光の強度と、記憶する前記データとに基づいて前記先端子が挿入された歯周ポケットの深さを数値化することを特徴とするので、
歯周ポケットの深さが測定できる。
〔請求項３の作用および効果〕
請求項３の光診査装置は、
前記光照射部は、歯周ポケットに挿入される前記先端子の先端から、歯周ポケットの外部に亘って長手方向に伸びて設けられ、
前記光測定手段は、前記光照射部から歯周ポケットに吸収された光の強度を測定可能に設けられ、
前記制御装置は、歯周ポケットに吸収される光の強度と、歯周ポケットの深さとを関連させたデータを記憶し、
前記光測定手段によって測定された光の強度と、記憶する前記データとに基づいて前記先端子が挿入された歯周ポケットの深さを数値化することを特徴とするので、
歯周ポケットの深さが測定できる。

〔請求項４の作用および効果〕
請求項４の光診査装置は、
前記光照射部は、歯周ポケットに、一つ以上の特定の波長または、ブロードな波長の光を照射可能に設けられ、
前記光測定手段は、前記歯周ポケットに吸収された波長を測定可能に設けられ、
前記制御装置は、歯周ポケットに吸収される光の波長と、歯周ポケット内の性状とを関連させたデータを記憶し、  前記光測定手段によって測定された光の波長と、記憶する前記データとに基づいて前記先端子が挿入された歯周ポケットの性状を特定することを特徴とするので、
歯周ポケットの出血、酸素飽和度、脈波などの性状が測定できる。

【０００６】
〔請求項２の手段〕
請求項２の電磁波診査装置は、診査する生体を走査する先端子と、先端子に対して電磁波を供給する電磁波供給手段と、先端子から診査する生体に対して供給された電磁波の吸収、反射、遮蔽、透過、励起または反応を検出する検出手段を有する事を特徴とする。
【０００７】
〔請求項３の手段〕
請求項１または請求項２の電磁波診査装置は、
先端子を着脱可能とする着脱手段を有する事を特徴とする。
【０００８】
〔請求項４の手段〕
請求項１から請求項３のいずれかの電磁波診査装置は、
所定の先端子を有する事を特徴とする。
【０００９】
【発明の作用および発明の効果】
〔請求項１の作用および効果〕
請求項１の電磁波診査装置は、電磁波診査装置は、診査する生体を走査する先端子と、先端子に対して電磁波を供給する電磁波供給手段と、先端子から診査する生体に対して供給された電磁波の吸収、反射、遮蔽、透過、励起または反応を検出する事を特徴とするので診査する物体への供給電磁波における吸収、反射、遮蔽、透過、励起、および反応程度がわかるので、その結果として組識の種別や疾病の有無などが判る。一例としては、α１３などのグルカンの検出など物質の同定などができ、電磁波がラジオ波なら組識への高周波エネルギーの変化を見ることにより、水分などの変化や構造の破壊程度や密度などをしる事ができる。また歯周ポケットの深さや、膿汁の水位や、病状の進行程度が検出できる。さらにまた組識の病的な状態と健全な状態の差などを検出できる。
【００１０】
〔請求項２の作用および効果〕
請求項２の電磁波診査装置は、診査する生体を走査する先端子と、先端子に対して電磁波を供給する電磁波供給手段と、先端子から診査する生体に対して供給された電磁波の吸収、反射、遮蔽、透過、励起または反応を検出する検出手段を有する事を特徴とするので、請求項１の装置の特徴に加えて、さらに自動的な検出やより高精度な検出ができる。
【００１１】
〔請求項３の作用および効果〕
請求項１または請求項２の電磁波診査装置は、
先端子を着脱可能とする着脱手段を有する事を特徴とするので、感染予防ができたり、先端子が劣化してもすぐに交換できる。
【００１２】
〔請求項４の作用および効果〕
請求項１から請求項３のいずれかの電磁波診査装置は、
所定の先端子を有する事を特徴とするので、各種診査に対応し使用感が良い。
【００１３】
【発明の実施の形態】
次に、本発明の電磁波診査装置を、図１〜図８に示す実施例または変形例に基づき説明する。
〔実施例の構成〕
【００１４】
〔第１実施例〕 第１実施例は、先端子に電磁波を供給し、センサ手段に対する診査物体における吸収、反射、励起、反応を検出することにより、物体を診査する診査装置を開示する。
ここで図１、図２、図３、図４は、電磁波診査装置の説明図の一例であり、図５、図６は、その先端子の一例である。
【００１５】
図１において入力手段１から供給された電力により電磁波照射手段２から電磁波が、内部反射光路３の内部を反射してセンサー手段４を通過し、反射手段５により反射して、再度センサー手段４を通過し、内部反射光路３の内部を反射して、検出手段７により電磁波が検出される。そして検出手段７により電流変換された信号は、増幅手段８にて増幅され外部出力として出力される。この時増幅手段８は、バッファーでも良いし、まれに減衰器であっても良い。またここで保持手段６は、電磁波照射手段２と検出手段７を保持していおり、この実施例においては電磁波照射手段の直接照射波を検出手段７が受けないように遮蔽を行っている。図１、図２、図３において先端子とは、センサー手段４と反射手段５を言う。また図４においてはセンサー手段４のみを先端子という。
【００１６】
この装置を使用する場合は、手で把持手段９を持ち歯周ポケットや水溶液などの被計測物体に先端のセンサー手段４を挿入して使用する。そして使用の後は、感染予防のために保持手段１０により先端部分を取り外しオートクレーブ消毒または廃棄する。
【００１７】
ここで光学回路は、図２、図３、図４のように光路変更手段１２を使用して、より迷光が無いようにしても良いし、入力手段１を導波１３路として電磁波照射手段２を省略したり、またレンズなどの光学素子を電磁波照射手段２の位置に使用しても良い。
ここで電磁波照射手段２から射出された電磁波は、内部反射光路３の内部を反射してセンサー手段４を通過し、反射手段５により反射して、再度センサー手段４を通過し、内部反射光路３の内部を反射して、検出手段７に到達する。この時センサー手段４を通過する電磁波と放出される電磁波がある。この通過電磁波と外部に放出される電磁波との割合は、センサー手段４の材質と、センサー手段に接している被計測物体の材質とに左右される。そしてこのことは先端部から組識などの外部へ吸収（放出）される電磁波強度、波長、位相などの物理量変化が検出手段にて検出されることであり、これは言いかえると、センサー手段４に接している物体の量や質を外部出力の電流変化などにて観測できるという事を示唆している。
【００１８】
この実施例で開示するプローブは先端部分の断面は主に円形または楕円形（この形状にこだわる必要はなくｎ角形（ｎ＞＝３）でも良い。）で、図５の先端部は円錐様探針であり、図５の先端は円柱にドーム形状または球状をつけたものや、円錐台にドームまたは球状の先端処理をした探針である。ここで、先端は少しでも反射があれば平面、凹、凸、球、楕円球などどのような形状でも良いが、使用目的にあわせてここでは歯周組識に侵襲がない形状とした。図４は、とくに歯牙などに好適で、また図５などは歯周ポケットなどの診査に好適である。図５などの歯周ポケットなどに使用する先端子の場合、先端子の先端を図５のように反射コートを施し、側面を使用する場合と先端の部分のみをコートせず先端部分のみを使用する場合、あるいは先端子の先端部分と側面部分の両者を使用する場合などがあり、使用目的によって使い分ける。ここでは黒い部分が全反射コート、部分反射コートあるいなどで白い部分が非コート部分である。この時コートの厚みや、材質は本発明の趣旨に沿えばどのようでも良い。すなわち把持部などの内部で電磁波が伝播したり、内部の電磁波が外部とで干渉や漏洩を少なくしたり、無くしたりできればどのような構造でも良い。一例として金属皮膜や金属色の塗料を塗ったり、めっきしたりしても良いし、また白、赤、黒などの塗料でも良いし、樹脂などの把持部の屈折率が違う材料で覆っても良い。
【００１９】
一例として図５のｈ先端子は全周にわたり吸収を診査できるので、感度が高い、図５のaは内縁上皮やポケット側面などに沿うなど一定の場所に対して直線的に計測ができる。図５のbは、一定範囲を超えると出力が変化するなどの挿入位置（速度）対計測値に変極点（線）または閾値を有するので、変極点（線）上で距離の校正、確認などができる。図５のc、d、e、fは、非線形に出力が増減するもので、とくにc、eは、変換関数に変極点（線）または閾値を有するものである。図５のcは、先端近くに変極点があるので、この距離を２ｍｍ程度±１ｍｍ程度とすると、健康な人と病的な人の歯周ポケットを素早くみわけられ、かつポケット長さを計れる。また図５のeは、把持部方向に変極点があるので、測定のオーバーフローなどを検出できる。
【００２０】
図５のfは浅いポケットでも大きな出力を確保できる。図５のdは、深いポケットを精度良く計測できる。図５のｇは、先端のみに感受性を持たせたのでポケットの深さに関係なく診査情報が得られる。このプローブは特にポケット底の上皮組識に対して特異的波長を使用すれば検査組識に穿孔することがない安全なプロービングができる。図５のｈは、先端子全周で検出可能なもので、高い感度を有する。この場合とくに先端子の先端部分の感度が高くなる傾向があるので、診断用のほうに向いている。図５の先端子において、図５のa,b,c,d,eは、どちらかというとポケットなどの被測定物の深さ測定に、図５のｇ、ｈは、どちらかというと診断用などの性質検査に向いており。図１、図２、図３などの先端子は、その中間の性格をもち、深さ、診査兼用に向いているが、どの先端子をどの目的とするかは、最終的に術者が決めれば良いことである。また先端子の反射コートの面積、形などは、本発明の趣旨に沿えばどのような形、面積でも良い。
【００２１】
ここで図１、図２、図３または図４において、電磁波照射手段２は、少なくとも一つ以上の波長を出力する可視光のライト、ＬＥＤ、ＬＤなどからなる発光体からなる。
【００２２】
そして、電磁波照射手段２から照射された電磁波が、表面に金属コートを施した透明樹脂でできた内部反射光路３中を、反射を繰り返してセンサー手段４へと電磁波を導く。もちろん内部反射光路３は、必ずしも必要ではないし、反射せずに伝播させる光路を内部反射光路に使用しても良い。これらが電磁波供給手段である。そして先センサー手段４でも空気の屈折率と樹脂の屈折率の違いから内部反射を繰り返して最終的には、検出手段７のほうへ戻ってゆく。そして検出手段７によって先端からの戻り電磁波（光）が検出できる。
【００２３】
ここで、検出器はフォトダイオードやフォトトランジスタ、光電子倍増管などを使用する。そしてこの検出手段７は、後段の表示装置や、Ａ／Ｄコンバーターなどの入力レベルに合わせて、増幅手段８（ゲイン ｜Ｇ｜＞０）を使用する。レベル調整が不必要なら増幅手段８はいらない。そしてこの出力レベルが先端子に接触した物体の吸収度合いを示している。
【００２４】
ここで、第１の使用例としてポケット計測を開示する。この先端を歯周ポケットに挿入する。歯周ポケットは、歯周病が進行すればするほど深くなる。また急性化など病状が進行する場合は、出血や排膿などの分泌物が生じる。
【００２５】
まず前者のポケットの深さを計測するために本発明を使用する例を開示する。ここで先端子は通常のいわゆる探針形状でも良いが、先端がポケットを傷つけない丸い探針形状を採用する方が良い。上記機構を有する先端子を歯周ポケットに挿入すると挿入の度合いだけ吸収が大きくなる。この吸収の度合いをポケットの深さとする。具体的には、あらかじめ水溶液などにて深さ対吸収の検量線または関数式を求めておき、それをもとに検査する。さらに具体的には、コンピュータ内に検量線または関数式からなる変換手段を記憶させて吸収度合いに対して深さを表示装置などに表示させる。 ここで、次のポケット内成分診査機能をもとにポケット内物質の違いによるポケット深さ誤差を補正してもよい。この場合使用する電磁波は、紫外、可視、赤外などいずれの波長でも良い。
【００２６】
またとくにH2Oの３３００ｃｍ−１付近または１６００ｃｍ−１付近を使用しても良い。電磁波が赤外領域の場合は、ＣＯ２レーザー、半導体レーザまたはグローバー光源を使用しても良いが、レーザーが便利である。ここで電磁波源にランプなどの多波長光源を使用する場合、特定の２波長以上を使用する場合、または特定の単波長を使用する場合、これにさらにコヒ−レント光を使用する場合と非コヒ−レント光を使用する場合や、それらの組み合わせを使用する場合などがある。一例として近接した２波長の検出強度差を吸収強度とする場合、外乱につよいポケット測定ができる。具体的には上記実施例または変形例での電磁波光源を２波長ないし、多波長光源のLDやLEDなどを採用する。そして検出手段も同様に２波長ないし、多波長のものを使用する。そしてこの検出器の出力を比較手段にて比較し、その値の変化を先端子におけるセンサー部分４の吸収変化とする。またランプなどの多波長光源を電磁波源に使用すれば、波長毎における吸収強度による誤差が平均化しやすく外乱が平均化してポケット深さ計測ができる。少なくとも一つ以上の特定の波長を使用する場合は、後述の診査に好適である。コヒ−レント光の場合、単波長化しやすく光学回路を形成しやすく診査に好適の場合もあるし、また先端子内部の光強度分布を計算しやすいので、ポケット測定にも好適である。非コヒ−レント光では先端子光分布が平均化しやすいのでポケット測定に好適である、また後述のように診査にも使用できる。さらに複数波長により先端子光分布を均一化してポケット測定誤差を少なくしたり、逆に特定部位のみ電磁波強度を強めたり、弱めたりすることにより変極点を設けても良い。
【００２７】
次にポケット内成分診査機能を開示する。歯周病は、病状が進行する場合は、出血や排膿が生じ、治癒している時の歯周ポケット内部は検出感度の問題にもよるが、その成分をほぼ水分のみと近似しても良い。（もちろんより厳密でも良いし、歯肉に沿わせて計測する時は吸収強度補正を行っても良い。）要は病的状態と比較的健全な状態を区別できれば良いので、水分のみと血液、血漿成分、細菌成分および炎症性物質（酵素など）などとの相違が判明すればよいのである。
【００２８】
一例として、H2Oの３３００ｃｍ−１付近または１６００ｃｍ−１付近と、ともにヘモグロビンの６６０ｎｍと８７０ｎｍの２波長のいずれかまたはその両方の波長の２波長を電磁波照射手段に採用して、その差を出血の度合いとする。ここで、血液、血漿成分、細菌成分および炎症性物質（酵素など）などを指標としても良いなど本発明の趣旨に沿えばどのような指標を選んで、どのような診断に使用しても良い。一例として８５０ｎｍから９００ｎｍ台の波長、または１μｍあたりの波長を血液の指標にするなどである。
さらにここで、６６０ｎｍと８７０ｎｍの２波長を使用した場合、この２波長の比率を基に酸素飽和度を計測しても良い。具体的には、既知の酸素飽和度計測関数をコンピュータなどの変換回路に設置して、本発明の６６０ｎｍと８７０ｎｍの２波長における検出出力を、変換回路により変換し表示装置などにあらわせば酸素飽和度が検出できる。またこの検出出力のバックグランド補正を行っても良い。これは、どの例でも同様に行うと精度が上がる。また２波長のいずれかまたは両方の変化をもって脈波としても良い。
【００２９】
また他の一例として歯牙の齲蝕診査を開示する。ここで図４のごとく先端子を被計測物体（ここでは歯牙）にあてるとその物体と探針との界面で物体へ電磁波が吸収され内部反射成分が少なくなる。具体的には健全な歯牙に探針をあてた時の吸収度と齲蝕歯牙などの物体にあてたときの吸収度はちがってくる。
【００３０】
健康な歯牙では、粘りつかない。すなわち接触面積が少なく、かつアパタイト結晶などの硬組織のみなので、先端子からの電磁波の吸収がすくない。（さらに特定波長を選択すると、さらに吸収が少なくなる。）
【００３１】
そして病的である歯牙粘りつく歯牙すなわちステッキフィッシャーを有する歯牙では接触面積が大きく、組識破壊によるアパタイト以外の有機成分、すなわちH2O、C-H、C-Oなどが多くなっている。よって先端子からの吸収は、病的状態と健康状態とでは異なった吸収を示す。ここでアパタイト吸収波長でない波長を選択すると病的部位での吸収が大きくなる。前記電磁波源は可視光を使用したが、赤外光であるH2Oの３３００ｃｍ−１付近や１６００ｃｍ−１付近、C-Hなどの３０００ｃｍ−１弱付近または１４００ｃｍ−１付近の波長を使用しても良いし、またC-Oの千数十ｃｍ−１付近を使用して感度を上げても良い。
【００３２】
さらにまたα１３結合に特有な１０３８ｃｍ−１、１０３４ｃｍ−１付近の波長を使用してもよい。この場合診査部位の齲蝕リスクが判明する。この時歯垢の水分を前記波長にて計測して補正手段により計測波長の補正をし、C-Oの吸収波長計測誤差を少なくしても良い。もちろんα１６グルカンの１０１５ｃｍ−１付近やフルクタンの１０５５ｃｍ−１付近も同様に利用しても良い。ここでH2Oの３３００ｃｍ−１付近や１６００ｃｍ−１付近または、ポリサッカライドピークグループのなかにあるおそらくリン酸関連物質の１０８０ｃｍ−１などのピークを内部標準として、グルカンやフルクタンのピーク強度を比較して齲蝕リスクを表示しても良い。一例として１０８０ｃｍ−１付近のアブソーバンスを１０３８ｃｍ−１付近のアブソーバンスを比較して、その値が１．０（前者をAとし後者をBとしてB/Aとした場合、即ち１０８０ｃｍ−１付近強度より１０３８ｃｍ−１付近強度が大きな場合。）を超えた場合齲蝕リスク大とするなどである。
【００３３】
またここで、アパタイト吸収波長に供給電磁波の波長、たとえば８．８μｍから１０．４μｍや１００ｎｍから３００ｎｍ弱などを設定すると、健全部位に比べて病的部位での吸収が少なくなる。このようにして指標組識の破壊前（健全部）と破壊後（病的部）にて変化する波長を選択すればどのような波長でもよいし、膿瘍や腫瘍といった病的組識を健全組識との電磁波吸収特性の違いをもって探触しても良い。ここでこれらのような赤外光を使用する場合電磁波源をＣＯ２レーザやグローバー光源を使用する。
【００３４】
連続波を使用したが、パルス波を使用しても良い。この場合再輻射波を観察してもよいし、組識の蛍光をパルスの休止期に観察しても良い。具体的にはパルス波形を照射できる既知の電磁波源を使用すれば良い。また上記の種々な波長を組み合わせて使用し複数の診断を同時に行っても良い。一例としてＨ２Ｏ、ＣＨやＰＯ４の波長を使用して、シーラントまたは修復か判断の分かれるような歯牙裂溝に対して、清掃後における効果判定を行うなどである。具体的にはロビンソンブラシで歯牙裂溝を清掃して、エアーで乾燥させる。その後に本先端子にてＨ２Ｏ、ＣＨやＰＯ４の波長を使用して検査する。この時Ｈ２ＯやＣＨが多量に存在したり、ＰＯ４が少量しかなかったりすればシーラントでなく、修復を行うなどである。
【００３５】
〔実施例の効果〕 従来ゲージで目測などにて計測していた歯周ポケット深さが計測できるし、また病状の進行状態が判明する。また視認やレントゲン像では、わかりにくい初期の咬合面齲蝕や平滑面齲蝕などの診断が可能となる。唾液、血液、または歯肉溝などの体液の成分診断に使用できる。また歯周組識などの酸素供給量も知る事ができ歯周病のリスク判定もできる。膿瘍や腫瘍を始めとした病変の診断が可能となる。
【００３６】
〔第２実施例〕
第２実施例は、記憶手段を使用した例を開示する。第１実施例にて開示した装置の外部出力を記憶手段に接続する。一例として外部出力をA/D変換し、汎用コンピュータ内部のメモリーに記憶させる。ここで電磁波照射手段の使用波長を８５０ｎｍ（あるいは８００ｎｍ〜９００ｎｍなど）としておく。そしてセンサー部を歯周ポケットに挿入する前の値を記憶手段に記憶させる。その後歯周ポケットから取り出した時の値を記憶手段に保持して、その両者を表示手段にて表示したり、比較手段にて比較し、その値を表示手段などにて表示する。この時センサー手段４に血液が付着していれば、値の変化がある。この変化を出血の指標とする。
【００３７】
ここで、血液以外の付着物に対して本装置を使用しても良い。一例としてグルコースCO合成ピークトップ値である１０２６ｃｍ−１（水分によっては、シフトするので、水分補正をしてもよい。その場合１０３４ｃｍ−１〜１０００ｃｍ−１程度）の波長を使用すれば、血糖値などを診断できる。
【００３８】
〔実施例の効果〕 被計測物体の性状などが診断できる。
【００３９】
〔第３実施例〕
第３実施例は、ポケットプローブなどの深さ検出装置としての電磁波診査装置を開示する。
【００４０】
図６において先端子から少なくとも１波長以上の波長の電磁波を放出させ、これを目視したり、検出手段などにて検出して深さを計測するものである。ここで先端子は、図６aでは、反射コーティングの施されていない円形様の窓から、それぞれλ１、λ２、λ３の各波長の電磁波が放出される。図６bの先端子（プローブ）は、帯状に発光帯が存在していいてる。ここで、これらの窓は特定の波長を通過させるためのコーティング処理がされている。具体的には赤の塗料がλ１に、緑の塗料がλ２に、青の塗料がλ３に施されている。また誘電体多層膜などの光学処理を使用して同様の効果を得ても良いし、他のバンドパスフィルター、ハイパスフィルター、ローパスフィルターを採用しても良い。そして矢印の方向から電磁波が照射または進入し、ここの窓を通過しそれぞれの波長の電磁波のみら窓から放出される。
【００４１】
図６c、dは、分散素子を備えている先端子（プローブ）である。この先端子は、入射電磁波の波長成分を分散して先端子に様々な波長を投影する。具体的には矢印の方向より電磁波が照射されその電磁波が分散素子としてのホログラム素子またはプリズムを透過して、波長毎に分散し先端子に電磁波が供給される。これにより先端子の表面にスペクトラム分解された電磁波が投影される。もし白色光を使用すれば虹色などの光の要素が先端子に投影される。
【００４２】
そして、図１、図２、図３、図４などの先端にこれらの先端子を設けて使用しても良いし、またこの先端子に把持部のみを設置して使用しても良い。そして、この診査装置の先端子を歯周ポケットに挿入し使用する。具体的には目視などにより歯周ポケットの深さにより見える波長の窓が違っているので、暗い口腔内でも容易に歯周ポケットなどの深さを計測できる。また逆に挿入した部分の透過を観察しても良い。これらは、遮蔽と透過の一例である。
【００４３】
また他の一例として図７のごとく検出手段は、CCDカメラなどの撮像素子などを使用しても良い。ここで図５や図６の先端子をその先端に設け（図７の４，５など）、これをCCDカメラなどの撮像手段７にて計測する。具体的には先端子が撮像手段にて撮像され、その映像信号がA/D変換されコンピュータに映像データが伝達される。その伝達された映像信号が既知の光点認識、光点追跡手段にて検出される。この時検出されない光点までが、歯周ポケットの深さをあらわしている。具体的には、現在確認ができる波長の深さ（長さ）までが計測値となり、ポケット深さが容易に計測できる。さらに具体的には図６aまたはbにおいては、一例としてλ１が見えずに、λ２が見えていればλ１の長さがポケット深さになる。もちろんλ１の中間の長さを見ても良い。ここで、図７の３、４、５は、光ファイバーなどの弾性体を使用し屈曲自由としても良いし、また剛性を有する樹脂やガラスまたは光学結晶などにて形成されても良い。
【００４４】
ここで、λ１、λ２、λ３は、目的に合わせて、その波長および波長帯域、その個数、形状などを変化させても良い。λｎとしても良い。（ｎ＞０）
【００４５】
〔実施例の効果〕 具体的には歯周ポケットの深さにより見える波長の窓が違っているので、暗い口腔内でも容易に歯周ポケットなどの深さを計測できる。
【００４６】
〔変形例〕 先端子すなわちセンサー手段４、反射手段５、内部反射光路３などｎの材質はＰＭＭＡ、ポリオレフィン、ポリアミド、ポリエステル、ポリエーテル、ポリイミド、ポリアミドイミド、耐燃性エラストマー、シリコーン、フッソ樹脂、窒素リン系樹脂、熱硬化性ポリマー、フェノール樹脂、エポキシ樹脂、ポリエン、ポリジアセチレン、ポリアゾメチン、主鎖網状ポリマー、ポリトリアジン、ポリパラバン酸、ポリヒダントイン、ポリジスチリルピラジン、ポリカーボネート、ポリウレタン、スルホン重合体、ビニル、ビニル重合体、ＰＥＥＫ、ポリエーテルエーテルケトン、セルロース樹脂、ウレタン、キシレン樹脂、メラミンホルムアルデヒド、ポリエチレンエチレン共重合体、アクリル二トリル、セルロース、対燃性樹脂、ネオプレン、フラン樹脂、ＡＢＳ樹脂、ＡＣＳ樹脂、ＡＥＳ樹脂、ＡＳＡ樹脂、ＡＢＳ/ＰＶＣ樹脂、ＰＣ/ＡＢＳアロイ、ＰＣ/ＡＥＳアロイ、ＥＶＡ樹脂、ＦＲＰ，ＳＡＮ、ポリテトラフルオロエチレン、ポリ塩化ビニリデン、ポリクロロトリフルオロエチレン、ポリフッカビニリデン、液晶ポリマー、マイカ、アルキド、アミノ、ポリスルホン、ポリエーテルスルホン、ポリフッカビニル、ポリアセタール、ポリフェニレンオキサイド、ポリエチレンオキサイド、ポリエチレンフタレート、ポリエチレンテレフテレート、炭素性繊維、ガラス繊維、ガラス、シリカ、綿、麻、ラミー、羊毛、絹、スチレングラフト、ポリスチレン、レーヨン、ポリノジック、キュプラ、アセテート、トリアセテート、プロミックス、ナイロン、ビニロン、ビニリデン、ポリ塩化ビニル、ポリエステル、アクリル、ポリエチレン、ポリプロピレン、ポリクラール、ベンゾエート、ポリオキシメチレン、ポリビスマレイミド、ビスマレイミドトリアジン、ＥＶＡけん化物、塩素化ポリエーテル、塩素化ポリエチレン、ジアリルフタレート、エチレン−α−オレフィン共重合体、エチレン−酢ビ−塩ビ共重合体、エチレン−塩化ビニル共重合体、ポリアリレート、ポリアリルスルホン、ポリブタジエン、ポリブチレン、ポリベンゾイミタゾール、アイオノマー、オレフィンビニルアルコール共重合体、芳香族ポリエステル、メタクリル−スチレン共重合体、ニトリル樹脂、液晶樹脂、石油樹脂、ポリブチレンテレフタレート、ポリエーテルイミド、ポリエーテルケトン、ポリエーテルニトリル、ポリチオエーテルスルホン、ポリエチレンナフタレート、ポリエチレンテレフタレート、熱可塑性ポリイミド、ポリアミノビスマレイミド、ポリケトン、ポリメチルペンテン、ノルボルネン、ポルオレフィン、ポリフェニレンエーテル、ポリフェニレンスルフィド、不飽和ポリエステル、ビニルエステル系エポキシ、ポリ酢酸ビニル、スチレン共重合体、ブタジエンースチレン、ポリビニールアセタール、ポリビニールアルコール、アクリル変性ポリ塩化ビニル、熱可塑性エラストマー、フタル酸アルキド、変性アルキド、アミノアフキド、尿素メラミン、メラミン、アルコール可溶性フェノール樹脂（以上は、金属性の先端子に比べて被計測物体に傷をつけない。）
【００４７】
ゴム、ブナＮ、スチレンブタジエンゴム、ブタジエンゴム、アクリロニトリルブタジエンゴム、エチレンプロピレンゴム、ブチルゴム、アクリルゴム、クロロスルホン化ポリエチレンゴム、シリコーンゴム、フッ素ゴム、多硫化ゴム、天然ゴム、イソプレンゴム、スチレン系ゴム、オルフィン系ゴム、エステル系ゴム、ウレタン系ゴム、塩化ビニル系ゴム、ブタジエン系ゴム、アミド系ゴム、（以上は、金属性の先端子に比べて被計測物体に傷をつけない。）石英、シリカ、ガラス、ＢＫ７、ＢａＦ２、ＣａＦ２、各種光学結晶、各種光学ガラス、光学伝播体、電磁波伝播体、ATR結晶、ゲルマニウム、ジンクセレン、ＺｎＳｅ，ＣｄＴｅ，ＣｓＢｒ，Ｃｓｌ，ＳｉＯ２、Ｈ２Ｏ，Ｓｉ，ＬｉＦ，ＭｇＦ２、ＫＢｒ，ＫＣｌ、ＮａＣｌ，ＫＲＳ−５、ＺｎＳ，アルミナ、ジルコニア、チタニア、各種セラミック（以上は、特定の電磁波を透過させやすいので機能的である。）
などのいずれか、またはそれらのいずれかの組み合わせを採用しても良い。もちろん他の部分の材質として使用しても良い。ここでこれらの材質は、固体でも気体でも液体でも良い。この時気体や液体を使用する時は、その周囲を固体で被覆しても良いし、流体をもって先端子としても良い。具体的にはエアーブロアーによって生成された気体成分に電磁波（光線）を搬送したり、水などの液体を噴射手段により噴射して、その流れに電磁波を搬送させて使用するなどである。この場合歯周ポケットを洗浄、乾燥する操作と電磁波伝播とができるので、深部まで電磁波（光線）が浸透する。これらの機能を既知のウオーターピックや３ウエイシリンジに使用しても良い。また先端子以外の部分に使用しても良い。
【００４８】
ここで樹脂などの高分子の場合は、官能基の付与による高性能化や、共重合、か橋重合、ブロック重合、グラフト重合、ポリマーブレンド、分子間橋かけ、単結晶化、ポリマーアロイ、ガラス繊維強化、フィラー添加、原子レベルから物質レベルまでのすべての階層での複合化などにより、高性能化した素材を採用しても良い。一例として炭酸カルシウム、タルク、ガラスビーズ、水酸化アルミニウム、水酸化マグネシウム、珪藻土、シリカ、クレー、クレー、カオリン、硫酸バリウム、酸化チタン、カーボンブラック、金属粉、グラファイト、シラスバルーン、チタン酸カリ、ワラストナイト、炭素繊維、マイカ、ガラス、アスベストなどのフィラーまたは副資材を添加しても良い。
【００４９】
また場合によっては先端子を陶材、セラミックス、フェライト、磁性体、金属または有機化合物などにて製作するなどしても良い。さらにまた先端子の材質は、上記素材を初めとして、ハイブリッド構造を採用しても良いし、ポリマーアロイとしても良いし、単一な組成による単一構造を採用しても良い。
【００５０】
上記実施例にて交換手段１０は、陥合力によって成されたが、スクリュー、ネジ、グルーブ、キーアンドキーウエイ、各種チャック構造、ワンタッチロックなど、どのような手段でも良い。またチャック抜きなどの着脱補助器具を採用しても良い。一例として陥合力の取り付け手段として、ただの円柱や図７のようなダブルテーパー構造などでも良い。
把持部は、グリップ形状でも良いし、弾性体にて滑り止めなどを付与したり、適当に手指の固定ようの溝や出っ張り等を設ける等、本発明の手指に沿えばどのような形状、性状でも良い。また電磁波を通す時は、その波長に適合した材質を選んでも良い。一例として金属製の空洞または空洞に気体、液体または固体を挿入したものであっても良い。これを先端子や導波路に採用しても良い。さらに具体的には鉄やステンレスなどの金属パイプを把持部に使用しこの一端に導波路を接続する、そしてこの中を電磁波（光線）などを伝播させて、先端子に電磁波を供給するなどである。ここでこの中に、水やオイルなどの液体をいれても良い。ここで同様に先端子を液体や気体で形成しても良い。
【００５１】
また先端部は、把持部先端部連結手段を省略して把持部に直接取り付けても良いなど、また把持部のどの部位に直接または間接的に取り付けても良い。さらにまた先端部は、把持部の両側に取り付けるなど、先端部の個数と把持部の個数は、複数でも良い。
【００５２】
先端の形状はモノアングルでも良いし、バイアングル以上の複屈曲形状を採用しても良い。またその角度も０度から３６０度など、どのような角度でも良い。また、ネジなどにてその角度を連続的に変化するようにした構造を採用しても良い。また把持部と先端部の断面は円形、楕円形、多角形などどのような形でも良い。
また先端部、先端子取り付け手段、把持手段９などの材質も金属、樹脂、陶材などどのようなものでもよい。
【００５３】
先端子は、探針、ルートプレーニング用チップ、歯牙清掃チップ、歯冠研磨チップ、ポケットプローブ、各種充填用チップ、各種バニッシャー、各種カーバー、各種ミラー、各種スパチュラー、各種ブラシ、各種ウオーターピック、各種エアーブロアー、電気歯髄診査チップ、電磁波供給チップ、塗布子などの歯科治療、予防用器具（先端子）を採用しても良い。
【００５４】
上記の実施例では、図４のような鋭い針のような先端子や図５のように円柱にドーム形状または球状をつけたものや、円錐台にドームまたは球状の先端処理をした探針を開示したが、どのような形状であってもよい。ここで先端の形状によって、または導波路の性質などによっては、特定の部分に電磁波密度が上昇する場合があるので、これを補正したり、逆に利用するように形状を設定しても良い。一例として光源にレーザーを使用し、導波路に偏波面保存ファイバーを使用し、先端子に凹面鏡のカーブを使用しすれば特定の部分に反射ビーム密度を上げることができる。この部分を反射コートなしの部分とすれば、好感度な診査ができる。また逆にこのような部分を反射コートでマスクしたり、分散電磁波路として均一な吸収を得ても良い。ここで、被計測物体と使用先端子によっては、逆に組識からの反射度合いを、検出手段にて検出しても良い。具体的な一例として、空中に保持している時の検出レベルを基準値として、挿入時レベルと随時比較する。この時空中に保持している時は、先端子から電磁波が放出し周囲からの反射電磁波がない。次に高反射性の金属冠やインプラントなどを有する組識に挿入すれば組識からの反射電磁波が生じる場合もある。またプローブの形状、性状は図５，図６に限らず、どのようなものを使用してもよいし、プローブの電磁波口に光学素子を付随させて電磁波を拡散、収束、コリメートなどを施して組識に付与しても良い。さらにまた付与電磁波により組識の反応、励起、内部観察などに使用しても良い。
【００５５】
図１，図２、図３、図４、図５などの先端子を交換可能な構造として探針などの代わりにルートプレーニング用チップ、歯牙清掃チップ、歯冠研磨チップ、ポケットプローブ、各種充填用チップ、各種バニッシャー、各種カーバー、各種ミラー、各種スパチュラー、各種ブラシ、各種ウオーターピック、各種エアーブロアー、電気歯髄診査チップ、電磁波供給チップ、塗布子などの歯科治療、予防用器具のいずれかひとつ、またはその組み合わせを先端子とし使用するかは、操作者または製造者の自由で特に限定されるものではない。またこの場合それらの先端子の取り付けは、本発明の実施例変形例に沿った形状を有しており、同様な操作により先端子取り付け手段に取り付けられる。これらの先端子を取り付ければ多彩な診断、治療、予防ができる。また先端子が容易に廃棄できるので、院内感染を防止するなど非常に清潔である。また、把持部や把持部先端部連結手段を、ステンレス、エンジニアリングプラスチックなどのオートクレーブ可能な材質で作成すればさらに清潔である。
【００５６】
また先端に刃をとりつけて刃付き探針としても良い。
【００５７】
照射あるいは供給電磁波には直線偏光、円偏光、楕円偏光などの偏光を施しても良い。また検出器に採用しても良い。これらにより診査組識の性質、深さを制御できるし、迷光などの影響を押さえることもできる。また偏光ビームスプリッタあるいは、それとともに波長板を使用しても良い。この場合効率よく戻り電磁波を検出手段にて捕らえたり、先端子での吸収を効率的に行ったり、被測定物の偏光変化をとらえたりできる。また図２の光学回路例中に示したように検出器の前方にレンズなどを設けて感度をあげても良い。この場合被観察面は、導波路または先端子などの電磁波が電磁波源から進入する面（端面）から先端子先端までのどこに設定しても良いし、電磁波路の性質によっては０より大きく、無限大までの間のどこに設定しても良い。この時電磁波の入射面を斜面として迷光を減少させても良い。また別の高感度な光路例として、電磁波源を直線偏光としてし、ビームスプリッタに偏光ビームスプリッタを使用する。この場合検出器への導波路または先端子などの電磁波が電磁波源から進入する面（端面）からの迷光がすくなくなり、感度と安定度などの改善がえられる。また別の回路として電磁波照射手段より位相共役波を発生させて先端子に注入し、発生点と同等な光学距離に検出器を設定すれば、外乱のない安定で高感度な計測（先端子での吸収強度計測）ができる。また別の回路としてビームスプリッタの真ん中を透過のみとし、その周辺を反射コートして迷光を減少させても良い。また先端子を倍波結晶などの校長波発生結晶として注入波長と反射波長を違う波長にて処理しても良い。この場合検出系への迷光伝播が低くなる
【００５８】
上記実施例では金属コーティング（反射コーティング）を把持部に行ったが、この範囲はどのようなものでもよいし、コーティング材質やその電磁波的性質も適時変化させても良い。一例としてアルミ、金、銀、クロム、ＭｇＦ２、誘電体多層膜などをコートやめっきするなどである。またロスが大きいが、安価なコートとしてエナメル、ラッカー塗料などをコートしても良い。その場合色は、使用波長に合わせて反射率の高い色を使用しても良い。また図１から図５などの前記の先端子の反射コートと非コート部分を逆にして使用しても良い。
【００５９】
周波数変調、振幅変調、位相変調、１/ｆゆらぎなどを使用しても良い。
【００６０】
電磁波放出手段により放出する電磁波の波長は、可視、紫外、赤外、ラジオ波などどのような波長でも良いなど使用波長は、疾患別に対応するなど本発明の趣旨に沿えばどのような波長を使用しても良い。また、照射口は、どこに設けても良いし、その導入路も本主旨にあえばどのようなものでも良い。ここで導波路１３は、ファイバー様な物でもよいし、ミラー様な物でも良い。また導波路を使用する場合電磁波源の波長に合わせて使用すれば良い。一例として赤外帯域はハロゲン化銀など、可視または紫外帯域はプラスチックや石英などのファイバーを使用するなどである。また導波路は波面保存型でも、非保存型でもよく、使用目的や価格、感度などを加味して選択すれば良い。同様に位相共役型を採用しても良い。また導波路への結合手段や把持部への結合器などは、電磁波が伝播すればどのような物でも良い。ここで端面は、平行、凹、凸、斜めなど目的に合えばどのような物でも良い。また結合に際してジェル状などの光伝播媒体を結合器や結合手段に使用しても良い。ここで実施例では電磁波源に導波路を使用したが、導波路を使用せずに把持部に電磁波源を内蔵しても良い。また逆に導波路１３の構造を把持手段９や先端子（先端部）に採用しても良い。即ち把持部９や先端子（先端部）を、光ファイバーなどの導波路構造として、その先端の部分に反射コートをするのみの構造でも良い。この場合把持部は、塗装、コート、被覆した方が、誤差がすくなくなる。
【００６１】
電源は電池でもコンデンサでも良いし、商用電源でも良いし、把持部に内蔵しても良いし、外部電源でも良い。この時電池は１次電池でも２次電池でもよい。２次電池の場合は、誘導型の充電機構を採用しても良い。さらに蛍光物質を発光源として使用しても良い。この時蛍光物質を励起し、この発光を使用しても良い。
【００６２】
スイッチもどのようなスイッチでも良い。一例として把持部にスライドスイッチやプッシュスイッチを採用しても良いし、フットスイッチとしても良いし、手話入力によるスイッチなどでも良い。
【００６３】
コンピュータ画面に歯種（部位）を表示して、検査部位と画面上の歯種（部位）を対応させてポケット深さや齲蝕（Ｃ１からＣ４）あるいは、出血、排膿を対応させて検査しても良い。一例として把持部に電磁波源や検出手段を内蔵するなどである。この時導波路は使用しても、しなくても良い。またレンズなどを使用しなくても検出器の感度を容易に上げることができる。
【００６４】
電磁波を歯牙などの組識に照射する手段として上記一例としてレーザ光発生装置を使用しても良いし、電磁波を照射できれば他の手段を用いても良い。具体的には、レーザ光でも良いし、自然光でも良いし、ラジオ波、マイクロ波、X-線、音波などの媒体波、紫外線、赤外線、可視光線などのどのような波でも良い。またコヒーレント波でも良いし、コヒーレント波でなくても良い。ここでレーザーは、ＮｄＹｇ、ＣＯ２、Ｈｅ−Ｎｅ，各種ヤグレーザー、各種キセノンレーザー、各種アルゴンレーザー、エキシマレーザー、色素レーザ、半導体レーザなど、その発振様式はいずれを使用しても良い。もちろんグレーティングや、倍波結晶などによる波長可変レーザを使用しても良い。もちろん各種光源に対して線幅を利用しても良いし、利用しなくても良い。
【００６５】
前記電磁波は、ラジオ波の場合はアンテナ、導波管、電磁場レンズなどを使用しても良い。また赤外光はアンテナで受信しても良い。光源は、グローバ光源、ランプ、ＬＥＤなど本発明に適すれば、どのような電磁波源を使用しても良い。一例として紫外線では、紫外線ランプや、ＫｒＣｌレーザー、ＫｒＦレーザーなどを使用しても良い。
【００６６】
ここで、ラジオ波を使用する例を開示する。その一例として図８にプローブ部分（先端子部分）を開示する。即ちポケットの深さを計測するのにラジオ波を使用しても良い。この場合上記機構が光線波長帯域と違ってくる。具体的には、この場合先端子と把持部のいずれか一方またはその両方を電磁波伝播性の材質（一例としてフェライトや金属などをプローブ材）とし、これにコイルなどの（電磁波）結合手段を介して導波路９を銅線などにて形成する。さらに具体的な一例として１または２ターンぐらいの直径１０ｍｍ程度のコイルを作製し、それを把持部に巻き付けるように設置する。そしてこの高周波回路を高周波ブリッジの一辺とする。そしてこのブリッジ回路の電流または周波数変化などのエネルギー変化を検出する事により、電磁波の組識への吸収度合いとする。もちろん電磁波吸収程度はブリッジ回路を使用せず再輻射波の計測や、電磁波供給のための回路のエネルギー変動をとらえて吸収度としても良い。それらの場合、出力段をフローティングアンプとしてもよいし、また先端子への高周波エネルギーの伝播には、直接高周波発生手段（電磁波源）より結合させて供給するなど、本発明の趣旨に沿えばどのような物でも良い。さらにまた駆動周波数は、２００ＭＨｚ程度を使用したが、この周波数も本発明の趣旨に沿えばどのような値でも良い。また別のラジオ波の使用方法として、搬送波を光学帯域にし、変調波をラジオ波としても良い。この場合一例として既知の光学変調素子を電磁波源の後に挿入したりすれば良い。この時検出器での基準波を使用する検出でも、非使用の検出でもよい。基準波を使用する場合は、ヘテロダイン検波でもホモダイン検波でも良い。これらの場合図８のようにプローブ周囲をシールド材で覆う、シールドプローブを使用すれば、ハンドピースとして使用できるなど非常に便利である。
【００６７】
これにより先端子から組識への電磁波吸収程度の大小にてポケットの深さの大小となる。（エネルギーの吸収が大ならポケットの深さが大である。）ここでも水と吸収強度の変換関数をあらかじめ計測し、コンピュータなどにて変換手段を作製し、本発明の出力を入力し表示すればポケット深さ計測器となる。この場合先端子は計測組識に触れなくても良い場合もある。
【００６８】
前記照射電磁波による励起部位のエネルギーや範囲を調節するために、レンズ、ミラーなどの光学素子を使用しても良い。
【００６９】
歯牙などに少なくとも１つ以上のパルス電磁波を適当な間隔にて照射しても良いし、連続波でも良い。また、第１のパルスまた第２のパルスよりの反射または透過電磁波を観測しても良いし、また第１のパルスと第２のパルスの間隔を変化させて位相整合を調整しても良い。また１つのパルスでその再輻射を見ても良いし、１つ１つのパルスでの再輻射を対比しても良い。また再輻射波最大のコンディションを照射手段に設定しても良い。
【００７０】
照射される電磁波の波長は、単波長であっても良いし、複数波長でも良い。さらに干渉に使用する電磁波も多数方向よりの複数干渉、または干渉波を複数重ねる多重干渉でも良いし、その組み合わせでも良い。この場合複雑な組織にも部位別にきめ細かな照射が可能である。また波長変化する前の波長を励起に使用するなどしても良い。それらの波をフーリエ合成しても良い。また直線偏光でも円偏光でもランダム偏光でも、照射目的、深度などに合わせて偏光子により変化させても良い。
【００７１】
検出手段はＨｇＣｄＴｅ、ＣＣＤ、ＩｎＡ２、Ｐｂ２ｎＴｅ、Ｐｂ２、Ｃｄ２、Ｃｄ２ｅ、ＰｚＴ、ＬｉＴａＯ3 、サーモパイル、ボロメータなどを使用して良いし、それらに結像手段、バンドパスフィルター、偏光フィルター、ハイカットフィルター、ロウカットフィルターなどを使用して迷光などを除去したり、また特定範囲（性質）の電磁波を抽出しても良い。またアンテナなどを応用して同様の効果を得ても良い。またそれを使用して最適状態に電磁波の信号強度、波長を調整フィードバックして検出感度を調整したり、組識の診断精度を上昇させても良い。ここで室内の電灯などの背景光を取り除く回路を採用しても良い。また図５のごとく光学素子１４を挿入してもよい。一例として凹レンズ、凸レンズ、内部反射光路の内部と同様な屈折率を有する光学素子などである。
【００７２】
また歯牙アパタイトの結晶整合が進行すると共鳴波長がシフトしてゆく場合が多く、その場合は共鳴波長のシフトにあわせて電磁波制御手段にて励起波長をシフト追従しても良い。またパルス対または群についてパルスを２回当てても良いし、３回以上励起する対または群を使用しても良い。パルスの場合再輻射波を最大とするようなパルス間隔やパルス波長を得るように電磁波制御手段を走査しても良い。
【００７３】
さらにここで、この導波路９の照射端と逆の端に赤外光源（グローバー光源、ＣＯ２レーザー光源など）が設け、その光源の光をフィルターまたは、回折格子に通し所定波長である９．６μｍなどの波長を得、それを導波路９に導き照射を行っても良い。
また、以下の波長を照射するようにしても良い。これらは、一例として励起、反応、診査などに使用できる。
一例として、
エナメル質の８．８μｍ〜１０．０μｍ（特に９．１μｍや９．４μｍ、９．５μｍ、９．６μｍ、９．７μｍ、９．６±０．８μｍ）
象げ質の９μｍ〜１０μｍ付近（特に９．６μｍ±δ付近）コラーゲンの５．８μｍ〜１０．０μｍ（特に５．８μｍ〜６．２μｍ、６．０μｍ〜６．８μｍ、７．３〜８．０μｍ）、
コンドロイチンの７．５μｍ〜１０μｍ、
Ｐ−Ｏの７．６μｍ〜１０．１μｍ、（特に９．６〜１０．１μｍ、８．１〜８．４μｍ）、
ＰＯ４（３―）イオン、ＨＰＯ４（２―）イオン、Ｈ２ＰＯ４（―）イオンなどの９．０μｍ〜１０．０μｍ、
ＨＰＯ４の１１．６μｍ、
Ｐ−Ｈの４．１μｍ〜４．４μｍ、
Ｃａ（ＯＨ）２などのＯ ５．５μｍ〜１０．０μｍ、２．６μｍ〜３．３μｍ（特に２．８５μｍ）
ＣａＯの２．７μｍ付近
Ｈ２Ｏの２．９μｍ±δ、６．１μｍ±δ、
ＣＯ２の４．２５μｍ±δ、
ＯＨ―の２．７μｍ〜２．８μｍ、１５．７μｍ、
Ｎ−Ｈの２．８μｍ〜３．３μｍ、３．４μｍ〜４．３μｍ、６．９μｍ〜７．２μｍ
ＳＯｘの１０μｍ〜１１μｍ、１４μｍ〜１６μｍ、８．６μｍ〜９．５μｍ、１５μｍ〜１７μｍ
アパタイトの２００〜３００ｎｍ付近（ＫｒＣｌ、ＫｒＦレーザで励起しても良い。）
などは、ほんの一例である。これらは、単独で使用しても良いし、また複数を使用しても良い。また基準振動を使用しても良いし、倍音を使用しても良い。さらにまたこれらの波長を使用して切削や組識誘導（リアクターなどとしての使用も含めて）をおこなっても良い。一例として９．６μｍの電磁波の照射により歯牙を切削するなどである。この場合１０．６μｍの波長などの他の波長に比べて歯髄への熱影響がすくなく、切削面が良好なのが大きな特徴である。一例として先端子をスケーラーやキュレットタイプの先端子とし、その刃先より９．６μｍなどの電磁波を出射して歯牙切削、歯石除去、あるいは掻爬を行っても良い。
【００７４】
そして、これらの電磁波の照射は、齲蝕原生物質の抑制を初めとする齲蝕原生抑制をおこなうので、清掃、予防効果が大きくなる。また清掃部位に確実に照射でき、かつ清掃と相乗効果を発揮する。とくにグルカンの抑制を行うので、グルカン除去即ち歯垢除去が非常に容易に行える。この電磁波は９．４μｍ付近より９．８μｍ付近の電磁波帯を照射しても良いし、また９．４μｍ、９．６μｍ、９．８μｍなどの単波長でも良いし、生体から採取した歯垢、細菌の吸収波長に同調させても良い。
また、Ｃａ、ＰＯ４イオンなどを使用する時は、上記波長の電磁波にて、歯質の改善や修復、コーティングが期待できる。すなわち、ＣａＯ，ＯＨ，またはＰＯ４の基準振動や、倍音振動を使用するなどである。一例としてＣａＯの３５０ｃｍ−１付近などや、その倍音を照射するなどである。
【００７５】
またｐＨ調整剤や酸の中和剤として炭酸バッファー、りん酸バッファーを使用しても良いし、逆に歯周治療用の薬剤を使用しても良い。効果があればＶイオン、Ｍｇイオン、Ｃｕイオンなどの各種ミネラルまたは、ビタミンＣ，Ｂ、Ｅなどの各種ビタミン類、または抗生物質、抗菌剤、または光合成細菌、乳酸菌などの細菌叢制御剤、抗酸化剤、または酸化剤などを使用または併用しても良いなど、使用する薬剤は、術者の自由で、どのような物を使用しても良い。
【００７６】
ここで薬剤の１例として、少なくともその一成分としてフッ素イオン、カルシュウムイオン、リンイオン、Ｃａ３（ＰＯ４）２、ヒドロキシアパタイト、フルオロアパタイト、所定の元素アパタイト、非化学量論的アパタイト、ヒドロキシアパタイトの格子欠損物、ヒドロキシアパタイトの原子欠損物、Ｃａ欠損型アパタイト、リン酸欠損型アパタイト、ＯＨ欠損アパタイト、ＯＨ置換アパタイト、Ｃａ１０−ｘ（ＨＰＯ４）ｘ（ＰＯ４）６−ｘ（ＯＨ）２−ｘ（ｎ・Ｈ２Ｏ）ここでｘは０〜１でｎは０〜２のいずれかまたは、そのいずれかの組み合わせ、Ｃａ4（ＰＯ４）２Ｏ、Ｃａ５（ＰＯ４）3ＯＨ、またはＣａｎ（ＰＯ４）ｍ・Ｘ、ＣａｎＨｚ（ＰＯ４）ｍ・Ｘで（ｎ＞０、ｍ＞０、ｚ＞０、Ｘは所定の物質または無し）、
（こららが、歯質改善薬剤となる）
【００７７】
炭酸バッファー、りん酸バッファー、シクロデキストリン、グルコースアミノグルカン、ポリフェノール、抗菌剤、抗生剤、フッ素
（こららが、齲蝕予防改善薬剤となる）ここで、特にシクロデキストリンにフッ素を包接して使用しても良い。この場合、シクロデキストリンがMutans Streptococciに付着してフッ素を長時間にわたりリリースしてMutans Streptococciの活動を抑制し、かつ歯質を強化する。
【００７８】
コラーゲン、コンドロイチン、コンドロイチン硫酸、ヒアルロン酸、
（こららが、歯肉、皮膚、粘膜、象げ質、歯髄、骨改善薬剤となる）
【００７９】
アルカリフォスファターゼ、オステオポンチン、オステオカルシン、サイトカイン、ビタミンD、プロトロンビン、ビクニン、ネフロカルチン、へパラン硫酸、りん酸、リン酸塩、塩酸、骨形成蛋白、カルシウム結合蛋白、水酸化酵素、
（こららが、骨、象げ質、エナメル質などの硬組織改善薬剤となる）
【００８０】
などを初めとする生体を構成する物質や、それを援助する物質などのいずれか一つまたは、そのいずれかの組み合わせを一成分として有する薬剤を使用する。
【００８１】
先端こに歯ブラシ状または電極状のものをつけた場合、絶縁体中に導体を設けた毛（線）を清掃子に歯ブラシ状または複数の電極状に植毛し、その毛に正極と負極を交互に設ける配線をおこない局所電流を流しても良い。この局所電流は、直流から高周波まで目的に合わせて調整すれば良い。この場合歯垢中グルカンをより効率的に除去したり、アパタイトの強化をおこなったり、歯髄診査器として使用してもよい。歯髄診査の場合は、探針のような単極の先端子でも局所回路が成立するならどのような形態でも良い。これを電気歯髄診査チップとして使用しても良い。
この時アパタイト前駆体を清掃子や電極の毛（線）間に配置し、クラスター化を容易にして励起しても良い。またこの時波動を清掃子に伝えてよりクラスター化を促進しても良い。さらにまた局所電流によりクラスター化を促進しても良い。
【００８２】
上記実施例または変形例は単独で実施しても良いし、また組み合わせて実施しても良い。また他の用途に使用しても良い。
【００８３】
【図面の簡単な説明】
【図１】電磁波診査装置の一例である。
【図２】電磁波診査装置の一例である。
【図３】電磁波診査装置の一例である。
【図４】電磁波診査装置の一例である。
【図５】歯周組識などの診査用先端子の一例。
【図６】歯周組識などの診査用先端子の一例。
【図７】電磁波診査装置の一例である。
【図８】電磁波診査装置の一例である。
【符号の説明】
１ 入力手段の一例。
２ 電磁波照射手段の一例。
３ 内部反射光路の一例。
４ センサー手段の一例。
５ 反射手段の一例。
６ 保持手段の一例。
７ 検出手段の一例。
８ 増幅手段の一例。（バッファー、減衰手段も含む）
９ 把持手段の一例。
１０ 交換手段の一例。
１１ 外部出力手段の一例。
１２ 光路変更手段の一例。
１３ 導波路の一例。
１４ 光学素子の一例。
【図１】
0004264128.tif 000002
【図２】
0004264128.tif 000003
【図３】
0004264128.tif 000004
【図４】
0004264128.tif 000005
【図５】
0004264128.tif 000006
【図６】
0004264128.tif 000007
【図７】
0004264128.tif 000008
【図８】
0004264128.tif 000009